(57)【要約】【課題】  舌の表面に付着した舌苔等を除去するのに使用する舌面清掃具の製造コストを大幅に低減させると共に、嵩張ることなく簡単に携帯することができ、適当な時期に簡単に使用できる舌面清掃具を提供する。【解決手段】  舌面を清掃する舌面清掃部１２と、この舌面清掃部と一体になった把持部１１とを１枚のシート部材１０を折り曲げて構成する舌面清掃具において、上記のシート部材を長手方向に沿って折り曲げて把持部を形成すると共に、上記のシート部材の一端側を折り返した状態で折り曲げて舌面清掃部を形成し、上記の舌面清掃部の折り返された先端部に、この舌面清掃部を上記の把持部に係止させる係止部１３を設けた。【選択図】  図２
0003129123.tif 000002
【実用新案登録請求の範囲】
【請求項１】
舌面を清掃する舌面清掃部と、この舌面清掃部と一体になった把持部とを１枚のシート部材を折り曲げて構成する舌面清掃具において、上記のシート部材が長手方向に沿って折り曲げられて把持部が形成されると共に、上記のシート部材の一端側が折り返された状態で折り曲げられて舌面清掃部が形成され、この舌面清掃部の折り返された先端部に、この舌面清掃部を上記の把持部に係止させる係止部が設けられてなることを特徴とする舌面清掃具。
【請求項２】
請求項１に記載した舌面清掃具において、上記のシート部材が長手方向に沿って溝型状になるように折り曲げられて把持部が形成されると共に、上記の舌面清掃部の折り返された先端部における係止部が、上記の溝型状になった把持部を挟み込む係止溝と把持部に係止させる係止爪とを有することを特徴とする舌面清掃具。
【請求項３】
請求項１又は請求項２に記載した舌面清掃具において、上記の舌面清掃部の先端側に位置する折り返し部分がジグザグ状に形成されていることを特徴とする舌面清掃具。
【請求項４】
略短冊状になった弾力性のある可撓性のシート材の上辺部と下辺部とがそれぞれ円弧状に形成され、上辺部の曲率半径が下辺部の曲率半径よりも大きくなって、中央部から両側部に向かうに連れて幅が広くなった舌面清掃具であって、上記の両側部を重ね合わせるようにしてリング状に保持し、上記の下辺部の中央部を舌面に接触させることを特徴とする舌面清掃具。
【考案の詳細な説明】
【技術分野】
【０００１】
本考案は、舌の表面に付着した舌苔等を除去するのに使用する舌面清掃具に係り、特に、製造コストが安くて済むと共に、嵩張ることなく簡単に携帯することができる舌面清掃具に関するものである。
【背景技術】
【０００２】
近年、歯磨きの励行、口臭対策等といった口腔の衛生が注目されるようになり、舌の表面に付着する舌苔等に起因する弊害が指摘されるようになった。
【０００３】
ここで、舌の表面に付着する舌苔等は、口腔内に出てくる体内の未消化物や食事中の食品の一部が舌の表面を覆っている分泌物に付着し、葉状乳頭や糸状乳頭、等の複雑な舌皮膚組織構造部分に絡まり付いて残り、それらに口腔内微生物が繁殖して生成されるものである。
【０００４】
そして、このように生成される舌苔等は、日常的な歯磨きやうがい程度では取り除くことができず、これをそのまま放置すると、歯や歯茎の衛生面に支障をきたすと共に口臭の原因ともなり、さらに見た目も悪いという問題があった。
【０００５】
このため、近年においては、上記のような舌苔等を取り除くための舌面清掃具が数多く提案されている。
【０００６】
例えば、把持部から略Ｃ字状断面の掬い部が形成された掻き取り部が延出された舌苔除去具（例えば、特許文献１参照。）や、舌に当接したときに曲面となる舌面磨き部材を手動操作部材に取り付けた舌面清掃具（例えば、特許文献２参照。）や、リング状に形成されたブラシ体からなる舌苔除去用チップを振動発生源が内蔵されたハンドピース本体に着脱自在に取り付けるようにした舌苔除去用ハンドピース（例えば、特許文献３参照。）などが提案されている。
【０００７】
しかし、これらの舌面清掃具は何れも製造コストが高くつくと共に、舌面清掃具自体が嵩張り、簡単に携帯して適当な時期に使用するということは困難であった。
【特許文献１】特開平９−２３８９４８号公報
【特許文献２】特開２００１−８７３４号公報
【特許文献３】特開２００４−１２９８８９号公報
【考案の開示】
【考案が解決しようとする課題】
【０００８】
本考案は、舌の表面に付着した舌苔等を除去するのに使用する舌面清掃具における上記のような問題を解決することを課題とするものであり、製造コストが安くて済むと共に、嵩張ることなく簡単に携帯することができ、適当な時期に簡単に使用できるようにすることを課題とするものである。
【課題を解決するための手段】
【０００９】
本考案における第１の舌面清掃具においては、上記のような課題を解決するため、舌面を清掃する舌面清掃部と、この舌面清掃部と一体になった把持部とを１枚のシート部材を折り曲げて構成する舌面清掃具において、上記のシート部材を長手方向に沿って折り曲げて把持部を形成すると共に、上記のシート部材の一端側を折り返した状態で折り曲げて舌面清掃部を形成し、上記の舌面清掃部の折り返された先端部に、この舌面清掃部を上記の把持部に係止させる係止部を設けるようにした。
【００１０】
そして、本考案の舌面清掃具において、舌面清掃部の折り返された先端部に形成した係止部により、この舌面清掃部を上記の把持部に係止させるにあたっては、上記のシート部材を長手方向に沿って溝型状になるように折り曲げて把持部を形成すると共に、上記の舌面清掃部の折り返された先端部における係止部に、上記の溝型状になった把持部を挟み込む係止溝と把持部に係止させる係止爪とを設けるようにすることができる。
【００１１】
また、本考案の舌面清掃具においては、舌の表面に付着した舌苔等を上記の舌面清掃部によって適切に除去できるようにするため、上記の舌面清掃部の先端側に位置する折り返し部分をジグザグ状に形成することが好ましい。
【００１２】
また、本考案における第２の舌面清掃具においては、上記のような課題を解決するため、略短冊状になった弾力性のある可撓性のシート材の上辺部と下辺部とがそれぞれ円弧状に形成され、上辺部の曲率半径が下辺部の曲率半径よりも大きくなって、中央部から両側部に向かうに連れて幅が広くなった舌面清掃具であって、上記の両側部を重ね合わせるようにしてリング状に保持し、上記の下辺部の中央部を舌面に接触させるようにしたのである。
【考案の効果】
【００１３】
本考案の第１の舌面清掃具においては、上記のように舌面を清掃する舌面清掃部と、この舌面清掃部と一体になった把持部とを１枚のシート部材を折り曲げて構成するようにしたため、従来の舌面清掃具に比べて、その製造コストが大幅に低減されると共に、使用する前の状態では１枚のシート部材となり、嵩張ることなく簡単に携帯できるようになる。
【００１４】
また、上記の第１の舌面清掃具においては、上記のように１枚のシート部材を折り曲げて構成するにあたり、シート部材の一端側を折り返した状態で折り曲げて舌面清掃部を形成すると共に、上記のシート部材を長手方向に沿って折り曲げて把持部を形成し、上記の舌面清掃部の折り返された先端部に形成した係止部によりこの舌面清掃部を上記の把持部に係止させるようにしたため、舌面清掃部が把持部から簡単に外れたりすることなく適切に維持されるようになる。
【００１５】
また、この第１の舌面清掃具においては、上記の舌面清掃部が、シート部材が重ね合わされた２重構造になって十分な強度を有すると共に、上記のように把持部が折り曲げられて構成され、この把持部も十分な強度を有するようになり、上記の舌面清掃部の先端側に位置する折り返し部分により舌の表面を擦るようにして、舌の表面に付着した舌苔等を除去する場合に、この舌面清掃部や把持部が変形するのが防止され、舌の表面に付着した舌苔等を適切に除去できるようになると共に、舌面清掃部が把持部から外れて誤飲されるということもない。
【００１６】
さらに、この第１の舌面清掃具において、上記の舌面清掃部の先端側に位置する折り返し部分をジグザグ状に形成すると、舌の表面に付着した舌苔等をより一層適切に除去できるようになる。
【００１７】
また、本考案の第２の舌面清掃具においては、上記のように略短冊状になった弾力性のある可撓性のシート材の上辺部と下辺部とをそれぞれ円弧状に形成し、上辺部の曲率半径を下辺部の曲率半径よりも大きくして、中央部から両側部に向かうに連れて幅が広くなるように形成しただけであるため、その製造コストが大幅に低減されると共に、使用する前の状態では１枚のシート材となり、嵩張ることなく簡単に携帯できるようになる。
【００１８】
また、この第２の舌面清掃具においては、舌の表面に付着した舌苔等を除去するにあたり、上記の両側部を重ね合わせるようにしてリング状に保持し、上記の下辺部の中央部を舌面に接触させるようにするだけで、その使用も著しく簡単に行えるようになる。
【考案を実施するための最良の形態】
【００１９】
以下、本考案の実施形態に係る舌面清掃具を添付図面に基づいて具体的に説明する。なお、本考案に係る舌面清掃具は、特に下記の実施形態に示したものに限定されるものではなく、その要旨を変更しない範囲において適宜変更して実施できるものである。
【００２０】
（実施形態１）
実施形態１における舌面清掃具においては、図１（Ａ）に示すように、略短冊状になった弾力性のある可撓性のシート材１を用い、このシート材１の上辺部１ａと下辺部１ｂとをそれぞれ円弧状に形成し、その上辺部１ａの曲率半径を下辺部１ｂの曲率半径よりも大きくして、中央部から両側部に向かうに連れて幅が広くなるようにした。
【００２１】
そして、この実施形態１の舌面清掃具により舌の表面に付着した舌苔等を除去するにあたっては、図１（Ｂ）に示すように、上記のシート材１の両端部を接合させるようにしてリング状に保持し、幅が狭くなった中央部から接合された両端部に向かって下方に彎曲した下辺部１ｂの中央部を舌の表面に接触させ、この下辺部１ｂの中央部により舌の表面に擦るようにして、舌の表面に付着した舌苔等を除去させるようにする。
【００２２】
（実施形態２）
実施形態２に係る舌面清掃具においては、図２に示すように、細長の１枚のシート材１０に、把持部１１を形成するための一対の所要間隔を介した把持部用折り目１１ａをシート材１０の長手方向に沿ってその一端側から所要長さ設けている。
【００２３】
そして、この把持部用折り目１１ａの端部の位置に舌面清掃部１２を形成するための舌面清掃部用折り目１２ａを形成し、さらにこの舌面清掃部用折り目１２ａから所要間隔を介した位置に折り返し用折り目１２ｂを設けると共に、上記の把持部用折り目１１ａと反対側におけるシート材１０の端部の中央部に、舌面清掃部１２を把持部１１に係止させる係止部１３として、係止爪１３ａを有する矢尻状になった係止溝１３ｂを切込み形成している。
【００２４】
そして、この実施形態２に係る舌面清掃具を組み立てるにあたっては、図３に示すように、先ず上記のシート材１０を上記の一対の把持部用折り目１１ａにおいて折り曲げて溝型状になった把持部１１を形成する。
【００２５】
次いで、上記の舌面清掃部用折り目１２ａにおいてシート材１０を折り曲げると共に、上記の折り返し用折り目１２ｂにおいてシート材１０を把持部１１側に折り返すようにする。
【００２６】
そして、図４に示すように、上記のように折り返したシート材１０の先端部の中央部に設けられている上記の係止溝１３ｂに上記の溝型状になった把持部１１を挟み込むようにすると共に、上記の係止爪１３ａを把持部１１に係止させて、舌面清掃部１２を把持部１１に対して所要角度（図に示す例では約９０°）傾斜するように形成する。
【００２７】
ここで、このように係止溝１３ｂに溝型状になった把持部１１を挟み込むと共に、係止爪１３ａを把持部１１に係止させるようにすると、舌面清掃部１２が把持部１１から簡単に外れたりすることなく、舌面清掃部１２が把持部１１に対して所要角度傾斜した状態で適切に維持されるようになる。
【００２８】
そして、この実施形態２に係る舌面清掃具により舌の表面に付着した舌苔等を除去するにあたっては、上記の把持部１１を手で持ち、上記の舌面清掃部１２の先端側に位置する折り返し部分１２ｃを舌の表面に接触させ、舌の表面を擦るようにして、舌の表面に付着した舌苔等を除去させるようにする。
【００２９】
このようにして舌の表面に付着した舌苔等を除去させる場合、上記の舌面清掃部１２は、シート部材１０が重ね合わされた２重構造になって十分な強度を有すると共に、上記の把持部１１も折り曲げられて構成されて十分な強度を有するようになり、舌苔等を除去させる際に、舌面清掃部１１や把持部１１が変形するのが防止されて、舌の表面に付着した舌苔等を適切に除去できるようになる。
【００３０】
また、この実施形態における舌面清掃具において、舌の表面に付着した舌苔等をより適切に除去させるようにするため、上記の折り返し用折り目１２ｂをジグザグ状に形成し、上記のようにこの折り返し用折り目１２ｂによりシート材１０を折り返し、図５に示すように、舌の表面に接触させる舌面清掃部１２の先端側の折り返し部分１２ｃをジグザグ状に形成するようにしたり、また図示していないが、舌面に対してスクラブ効果を生じさせる部材を舌面清掃部１２の先端側に貼付したり、塗布したりすることもできる。
【００３１】
なお、この実施形態２における舌面清掃具に用いるシート材１０の材料については、上記のような折り曲げが可能であって、舌の表面に付着した舌苔等を除去させる際に大きく変形しない程度の強度を有するものであれば特に限定されず、例えば、ポリプロピレン等の各種のプラスチックや厚紙等の紙材を用いることができる。
【図面の簡単な説明】
【００３２】
【図１】本考案の実施形態１に係る舌面清掃具の概略平面図及びその使用状態を示した概略斜視図である。
【図２】本考案の実施形態２に係る舌面清掃具を折り曲げて組み立てる前のシート材の状態を示した概略平面図である。
【図３】実施形態２に係る舌面清掃具を上記のシート材を用いて組み立てた状態を示した概略斜視図である。
【図４】実施形態２に係る舌面清掃具を舌面清掃部側から見た概略側面である。
【図５】実施形態２に係る舌面清掃具において、舌面清掃部の先端側の折り返し部分をジグザグ状に形成した変更例の概略斜視図である。
【符号の説明】
【００３３】
１  シート材
１ａ  上辺部
１ｂ  下辺部
１０  シート材
１１  把持部
１１ａ  把持部用折り目
１２  舌面清掃部
１２ａ  舌面清掃部用折り目
１２ｂ  折り返し用折り目
１２ｃ  折り返し部分
１３  係止部
１３ａ  係止爪
１３ｂ  係止溝
【図１】
0003129123.tif 000003
【図２】
0003129123.tif 000004
【図３】
0003129123.tif 000005
【図４】
0003129123.tif 000006
【図５】
0003129123.tif 000007
【手続補正書】
【提出日】平成18年11月20日(2006.11.20)
【手続補正１】
【補正対象書類名】実用新案登録請求の範囲
【補正対象項目名】全文
【補正方法】変更
【補正の内容】
【実用新案登録請求の範囲】
【請求項１】
舌面を清掃する舌面清掃部と、この舌面清掃部と一体になった把持部とを１枚のシート部材を折り曲げて構成する舌面清掃具において、上記のシート部材が長手方向に沿って折り曲げられて把持部が形成されると共に、上記のシート部材の一端側が折り返された状態で折り曲げられて舌面清掃部が形成され、この舌面清掃部の折り返された先端部に、この舌面清掃部を上記の把持部に係止させる係止部が設けられてなることを特徴とする舌面清掃具。
【請求項２】
請求項１に記載した舌面清掃具において、上記のシート部材が長手方向に沿って溝型状になるように折り曲げられて把持部が形成されると共に、上記の舌面清掃部の折り返された先端部における係止部が、上記の溝型状になった把持部を挟み込む係止溝と把持部に係止させる係止爪とを有することを特徴とする舌面清掃具。
【請求項３】
請求項１又は請求項２に記載した舌面清掃具において、上記の舌面清掃部の先端側に位置する折り返し部分がジグザグ状に形成されていることを特徴とする舌面清掃具。